(57)【要約】【課題】屋上緑化の施工が容易で、しかも屋上緑化が簡便にできる屋上緑化保水パレットを提供することを目的とするものである。【解決手段】植物支持層２５が設けられる床板部２１と、設置面１２に接して立ち上がる立上がり縁取壁２３と、立上がり縁取壁２３より折り返されて床板部２１の周縁を囲んで容器を形成する外周側壁２２とからなり、床板部２１の裏面が立上がり縁取壁２３の設置面より上方に位置し、外周側壁２２に水量調整孔２２ａが設けられた屋上緑化保水パレット２０である。【選択図】図１
2007143438.tif 000002
【特許請求の範囲】
【請求項１】
植物支持層が設けられる床板部と、設置面に接して立ち上がる立上がり縁取壁と、該立上がり縁取壁より折り返されて前記床板部の周縁を囲んで容器を形成する外周側壁とからなり、前記床板部の裏面が前記立上がり縁取壁の設置面より上方に位置し、前記外周側壁に水量調整孔が設けられていることを特徴とする屋上緑化保水パレット。
【請求項２】
前記外周側壁に囲まれた前記床板部に貯留水層と該貯留水層上にスノコ状受材と該スノコ状受材の上に植物支持層とが設けられることを特徴とする請求項１に記載の屋上緑化保水パレット。
【請求項３】
前記植物支持層が多孔質材による保水層と該保水層上の人工土壌層とからなることを特徴とする請求項１又は２に記載の屋上緑化保水パレット。
【請求項４】
前記スノコ状受材が保水層を兼ねることを特徴とする請求項２又は３に記載の屋上緑化保水パレット。
【請求項５】
前記床板部に清掃用穴が設けられていることを特徴とする請求項１，２，３又は４に記載の屋上緑化保水パレット。
【請求項６】
床板部と、設置面に接して立ち上がる立上がり縁取壁と、該立上がり縁取壁より折り返されて前記床板部の周縁を囲んで容器を形成する外周側壁とからなる屋上緑化保水パレットを所定枠内に多数配置し、各屋上緑化保水パレット内に貯留水層とスノコ状保水層とを設け、前記枠内に囲まれた該スノコ状保水層上に多孔質材からなる保水層と人工土壌層を積層して設けたことを特徴とする緑化構造体。
【請求項７】
前記屋上緑化保水パレットの立上がり縁取壁と外周側壁との接続部分に越流部を設けたことを特徴とする請求項６に記載の緑化構造体。
【発明の詳細な説明】
【技術分野】
【０００１】
本発明は、屋上緑化の施工が容易な屋上緑化保水パレット及び屋上緑化保水パレットを利用した緑化構造体に関するものである。
【背景技術】
【０００２】
従来、図９に示す地面などを一時的に天然芝化する合成樹脂基板層２の上面を天然芝層３を接着剤４で長尺の人工芝１があり、ロール状の人工芝１を地面にピンなどで固定している。また、図１０は、ユニット化した人工芝であり、基盤層２ａに栽培床層５が設けられ、栽培床層５の上面に天然芝層３を設けたものであり、基盤層２ａの側面にファスナー６が設けられ、地面やコンクリート上に基盤層２ａ同士をファスナー６で接合して敷設する。（例えば、特許文献１参照）
【０００３】
一方、近年では、屋上の緑化が都市環境の改善に効果的であることから屋上緑化が推進されており、このような観点に立って屋上、ベランダ、デッキ等を緑化させる屋上緑化工法が案出されている。屋上緑化には、芝生等を長期間緑化状態が保持されねばならないし、屋上のコンクリートのひび割れなどから漏水が発生したり、芝生の根がひび割れに入り込んだりするといった問題があり、図１１に示すような緑化構造体が提案されている。この緑化構造体は、鋼板７（或いはコンクリート）上に防水シート８を敷き、客土保持材９を敷設して通水性部材１０を敷き詰め、その上に吹き付けられた緑化客土１１を設け、芝生３を育成したものがある。（例えば、特許文献２参照）
【０００４】
【特許文献１】特開平７−７９６４３号公報（明細書全文、図面全図）
【特許文献２】特開２０００−１３９１９９号公報（明細書全文、図面全図）
【発明の開示】
【発明が解決しようとする課題】
【０００５】
上記特許文献１の人工芝は、芝生を長期間を育成するには保水性が悪く、屋上緑化工法には適さない。特許文献２の緑化構造体は、芝生を長期間育成するには好ましいが、屋上の鋼板或いはコンクリートに防水シートを敷き詰めて、防水シート上に客土保持材を敷設し、さらに緑化周縁部分を周壁板で囲む工法である。周壁板は風雨などで客土保持材等が飛散するのを防止するためのものであり、平坦な屋上では、コンクリートブロックなどを使用して緑化部分の周囲を囲んでいる。
【０００６】
また、防水シートを敷設して直に客土保持材を敷き詰めて屋上緑化する場合は、屋上の防水性を十分に考慮する必要性があり、屋上のコンクリートに微細なひび割れがあれば、そのひび割れから漏水が発生したり、芝生などの根が侵入するおそれがあり、長期間に渡って屋上緑化を保持するには、屋上緑化施工前に十分な防水処理を施す必要がある。屋上に防水シートやウレタン塗膜防水処理を施す必要がある場合は、屋上緑化の施工費用が嵩んで屋上緑化を断念せざるを得ないことがある。
【０００７】
さらに、屋上緑化には、緑化育成部が保水性に優れていることが望ましいし、建築物には荷重制限があり、各部材は軽量であることが望ましい。また、施工工数を削減して施工容易であり、屋上緑化の施工費用の積算が容易であるとともに維持管理が容易であることが重要である。
【０００８】
本発明は、上述のような課題に鑑みなされたものであり、屋上緑化の施工が容易で、しかも屋上緑化が簡便にできる屋上緑化保水パレット及び緑化構造体を提供することを目的とするものである。
【課題を解決するための手段】
【０００９】
本発明は、上記課題を解決したものであって、請求項１の発明は、植物支持層が設けられる床板部と、設置面に接して立ち上がる立上がり縁取壁と、該立上がり縁取壁より折り返されて前記床板部の周縁を囲んで容器を形成する外周側壁とからなり、前記床板部の裏面が前記立上がり縁取壁の設置面より上方に位置し、前記外周側壁に水量調整孔が設けられていることを特徴とする屋上緑化保水パレットである。
【００１０】
また、請求項２の発明は、前記外周側壁に囲まれた前記床板部に貯留水層と該貯留水層上にスノコ状受材と該スノコ状受材の上に植物支持層とが設けられることを特徴とする請求項１に記載の屋上緑化保水パレットである。
【００１１】
また、請求項３の発明は、前記植物支持層が多孔質材による保水層と該保水層上の人工土壌層とからなることを特徴とする請求項１又は２に記載の屋上緑化保水パレットである。
【００１２】
また、請求項４の発明は、前記スノコ状受材が保水層を兼ねることを特徴とする請求項２又は３に記載の屋上緑化保水パレットである。
【００１３】
また、請求項５の発明は、前記床板部に清掃用穴が設けられていることを特徴とする請求項１，２，３又は４に記載の屋上緑化保水パレットである。
【００１４】
また、請求項６の発明は、床板部と、設置面に接して立ち上がる立上がり縁取壁と、該立上がり縁取壁より折り返されて前記床板部の周縁を囲んで容器を形成する外周側壁とからなる屋上緑化保水パレットを所定枠内に多数配置し、各屋上緑化保水パレット内に貯留水層とスノコ状保水層とを設け、前記枠内に囲まれた該スノコ状保水層上に多孔質材からなる保水層と人工土壌層を積層して設けたことを特徴とする緑化構造体である。
【００１５】
また、請求項７の発明は、前記屋上緑化保水パレットの立上がり縁取壁と外周側壁との接続部分に越流部を設けたことを特徴とする請求項６に記載の緑化構造体である。
【発明の効果】
【００１６】
請求項１の発明では、植物支持層が設けられる床板部と、設置面に接して立ち上がる立上がり縁取壁と、該立上がり縁取壁より折り返されて前記床板部の周縁を囲んで容器を形成する外周側壁とからなり、前記床板部の裏面が前記立上がり縁取壁の設置面より上方に位置し、前記外周側壁に水量調整孔が設けられていることを特徴とする屋上緑化保水パレットであるので、屋上などの床面に屋上緑化保水パレットを並べて植栽を育成し、屋上を緑化することが可能であり、植栽は屋上が受ける太陽熱を吸収し、建物内部の温度上昇を防止し、夏場の冷房効率を上げる効果を有し、また、冬場は植栽の保温効果により、建物内部の熱放射を防ぐ効果を有し、省エネ効果が期待でき、環境保全に効果的である。また、屋上のコンクリート面のクールダウンが可能であり、ヒートアイランド現象を緩和に貢献できる。
【００１７】
また、屋上緑化保水パレットに植物支持層を設けて、屋上緑化が施工され、通常の場合、屋上に載置するのみで、通常の漏水処理が施された建物であれば、屋上床面の防水処理を施す必要がなく、また屋上緑化保水パレットの回りをブロックなどで囲ったりする必要もなく、施工が極めて簡単である利点がある。
【００１８】
また、この屋上緑化保水パレットは、屋上の床面と立上がり縁取壁の下端部が接触するのみで、床板部の裏面側は屋上の床面に殆ど接触しないので、屋上の床面の僅かな歪みや突起などに接触して床板部などが歪んだり、ストレスが加わってひび割れが生じるといったおそれがない利点がある。また、立上がり縁取壁に開口部を設けることによって、床板部裏面の床面との空間は通気の役割をも果たす。
【００１９】
また、この屋上緑化保水パレットは、床板部の周縁を囲む外周側壁によって容器を形成しており、この容器に水が貯留され、渇水時には植物支持層の植物に必要な水分を供給でき、高価な給水設備を設置する必要がない利点がある。また、植物などから生じたごみなどが容器の底に溜まり、屋上床面に流れ出すのを防止し、屋上床面を汚すおそれが少ないし、植物支持層を取り除けば清掃も容易である利点がある。また、降雨量が多い場合は、外周側壁に設けた水量調整孔から雨水が屋上床面に流れ出し、適量を屋上緑化保水パレット内に貯留することができ、渇水時には水分供給に効果的である。
【００２０】
また、請求項２の発明では、前記外周側壁に囲まれた前記床板部に貯留水層と該貯留水層上にスノコ状受材と該スノコ状受材の上に植物支持層とが設けられることを特徴とする請求項１に記載の屋上緑化保水パレットであるので、植物支持層が貯留水層上に形成されて良好な植物の育成が可能であり、植物支持層に植栽されている植物の根がスノコ状受材に絡まって、強風などで植物が吹く飛ばされるといった問題を解消できるし、渇水時にスノコ状受材から植物支持層に植栽されている植物の根が垂れ下がり、貯水層の水を吸い上げることができる構造であり、植物の植栽に好適な環境を構築できる。
【００２１】
また、請求項３の発明では、前記スノコ状受材が保水層を兼ねることを特徴とする請求項２に記載の屋上緑化保水パレットであるので、渇水時にスノコ状受材から水分を吸収できる構造であり、植物の植栽に好適な環境を構築できる。
【００２２】
また、請求項４の発明では、前記床板部に清掃用穴が設けられていることを特徴とする請求項１，２又は３に記載の屋上緑化保水パレットであるので、植物の根などの腐った部分などがパレット内に堆積した場合に清掃用穴から洗い流すことができる利点がある。
【００２３】
また、請求項５の発明では、請求項１に記載の屋上緑化保水パレットを所定枠内に多数配置し、各屋上緑化保水パレット内に貯留水層とスノコ状保水層とを設け、前記枠内に囲まれた該スノコ状保水層上に多孔質材からなる保水層と人工土壌層を積層して設けたことを特徴とする屋上緑化保水パレットあるので、各屋上緑化保水パレットには貯留水層が形成され、かつスノコ状保水層に植物の根が絡み付き、比較的大きな植物などの植栽に好適である。
【００２４】
また、請求項６の発明は、床板部と、設置面に接して立ち上がる立上がり縁取壁と、該立上がり縁取壁より折り返されて前記床板部の周縁を囲んで容器を形成する外周側壁とからなる屋上緑化保水パレットを所定枠内に多数配置し、各屋上緑化保水パレット内に貯留水層とスノコ状保水層とを設け、前記枠内に囲まれた該スノコ状保水層上に多孔質材からなる保水層と人工土壌層を積層して設けたことを特徴とする緑化構造体であるので、屋上緑化保水パレットを複数個並置して貯留水部と保水層とを形成して背丈の高い植物であっても植栽が可能な人工土壌を屋上などの床面に容易に作製することができる利点がある。
【００２５】
また、請求項７の発明は、前記屋上緑化保水パレットの立上がり縁取壁と外周側壁との接続部分に越流部を設けたことを特徴とする請求項６に記載の緑化構造体であるので、必要な水位の貯留水層を形成することができる。
【発明を実施するための最良の形態】
【００２６】
以下、本発明に係る屋上緑化保水パレットと緑化構造体について、図面を参照して説明する。先ず、図１（ａ）は、本発明の一実施形態を示す屋上緑化保水パレットの上面図であり、同図（ｂ）はその断面図であり、図２はその拡大図であり、図３は本実施形態の使用例を説明する植物支持層を含めた分解斜視図である。また、図４は本発明の他の実施形態である緑化構造体を示す上面図であり、図５はその断面図であり、図６はその拡大断面図であり、図７（ａ）は緑化構造体に使用する屋上緑化保水パレットの上面図、図７（ｂ）はその断面図、図７（ｃ）はその側面図であり、図８はその要部側面図である。
【００２７】
図１〜図３に基づいて本実施形態の屋上緑化保水パレットを説明する。屋上緑化保水パレット２０は、長方形又は四角形などの方形状の床板部２１と、床板部２１の周縁に立ち上がり、床板部２１を四方から囲んで容器を形成する外周側壁２２と、屋上の床面などの設置面１２に接して立ち上がって外周側壁２２の上部折り返部に連接された立上がり縁取壁２３とから構成されている。床板部２１の底面にはスノコ状受材２４が載置され、スノコ状受材２４上に植物支持層２５が設けられる。植物支持層２５は、一例として多孔質材からなる高機能再生炭層２６と、高機能再生炭層２６上に軽量土壌層２７とが積層されたものであり、軽量土壌層２７には植物１４が植栽することができる。なお、屋上緑化保水パレット２０の材質は、例えば、再生ポリエチレン樹脂が使用されるが、この材質に限定するものではない。
【００２８】
外周側壁２２には水量調整孔２２ａが設けられ、水量調整孔２２ａにより水位が調整されて、外周側壁２２で囲まれた容器内に貯留水層２８が形成されている。貯留水層２８は植物に水分の供給が可能なように設けられ、常時必要な水量が貯留できるようにしている。なお、水量調整孔２２ａは四方の外周側壁２２に設けてもよいし、互いに対面する外周側壁２２に複数個設けても良い。
【００２９】
また、床板部２１には清掃用孔２２ｂが形成され、清掃用孔２２ｂは通常な盲蓋２９が封着されているが、この清掃用孔２２ｂは必ずしも設ける必要はない。また、床板部２１の裏面には、設置面１２に載置されて床板部２１を支持するスノコ１３が配置される。このスノコ１３は通気性が確保される形状が望ましい。また、床板部２１の裏面は直接設置面１２に接しないようにして通気性を良好なものとしており、図示は省略したが、パレット２０に熱が蓄積されるのを改善すべく、立上がり縁取壁２３に開口部を設けて通気性を良好なものとしてもよい。なお、スノコ１３は、植物支持層２５の重量が軽量の場合は設ける必要はない。
【００３０】
本実施形態の屋上緑化保水パレット２０は、従来のように屋上の床面に防水シートを敷き詰めて人工土壌を形成することなく、漏水処理が施された屋上の床面であれば、屋上緑化保水パレット２０を載置するのみで屋上などの緑化が可能である。軽量土壌層２７に植栽した植物１４は、根がスノコ状受材２４まで伸びて絡み付き安定し、植物１４が強風などで飛散することがないようになされている。屋上緑化保水パレット２０の底部は、貯留水層１３となっており、常時必要量の水が確保され、渇水時にも十分に水分を供給することができる。また、スノコ状受材２４は吸水性を有するものであれば、貯留水層１３から毛細管現象によって水分を吸収し、植物１４の育成に最適な環境を保つことができる。このような貯留水層１３が設けられているので、給水設備を設けることなく、自然降雨や通常に散水により貯留水層１３に蓄えられた水を植物１４が吸収できるようにし、長時間の渇水にも対応できる。
【００３１】
上記実施形態では、屋上などの設置面１２に一個載置した図であるが、この屋上緑化保水パレット２０を多数並べて、屋上を緑化することが可能である。その場合、一個の屋上緑化保水パレット２０の緑化面積が従来のものと比較して大型であり、一個当たりの屋上緑化保水パレット２０自体は、他の緑化構造体と比較して重量があり、簡単に移動したりすることがないので、複数並べた屋上緑化保水パレット２０の周囲をブロックなどで抑える必要はなく、屋上緑化保水パレット２０を利用すれば手軽に屋上緑化ができる。
【００３２】
また、本実施形態の屋上緑化保水パレット２０は、植物１４による蒸散作用により太陽熱を吸収するのみならず、貯留水層１３が形成されているので、一層太陽熱が吸収され、建物内部の温度上昇を防止し、夏場の冷房効率を上げ、冬場は植栽の保温効果により、建物内部の熱放射を防ぐことができる。また、屋上のコンクリート面のクールダウンが可能であり、ヒートアイランド現象を緩和するといった一役を担うことができる。また、立上がり縁取壁２３に開口部を設けることによって、床板部２１の裏面と床面との空間が通気の役割を果たし、冷却効果がある。
【００３３】
また、屋上緑化保水パレット２０は容器状であり、植物１４などから生じたごみなどは、容器の底（底板部２１の底面）に溜まり、屋上床面（設置面１２）に流れ出すのを防止しすることができる。スノコ状受材２４を持ち上げて植物支持層２５を取り除けば清掃も容易である。また、降雨量が多い場合は、外周側壁に設けた水量調整孔２２ａから雨水が屋上床面に流れ出し、屋上緑化保水パレット２０内に適量を貯留することができる。
【００３４】
また、本実施形態の屋上緑化保水パレット２０は、植物支持層２５を設けて、屋上緑化が施工され、通常の場合、通常の漏水処理が施された建物であれば、屋上床面の防水処理を施す必要がなく、屋上に載置するのみで屋上緑化が可能である。また、屋上緑化保水パレット２０の回りをブロックなどで囲ったりする必要もなく、施工が極めて簡単であり、屋上緑化保水パレット２０と植物支持層２５等をユニットとして供給でき、積算が容易である。
【００３５】
また、この屋上緑化保水パレット２０は、屋上の床面と立上がり縁取壁の下端部が接触するのみで、床板部の裏面側は屋上の床面に殆ど接触しないので、屋上の床面の僅かな歪みや突起などに接触して床板部などが歪んだり、ストレスが加わってひび割れが生じることがない。また、スノコ１３が適度な弾力性を有するものであれば、屋上の床面の僅かな歪みや突起を吸収し、屋上緑化保水パレット２０の保全に効果を有する。
【００３６】
次に、本発明の他の実施形態である緑化構造体について図４〜図７を参照して説明する。この実施形態では、植物１４が比較的背丈の高いものであっても植栽することが可能な緑化構造体について説明する。この緑化構造体は、上記実施形態の屋上緑化保水パレット２０が用いられ、例えば、図４に示すように、設置面１２に遮水シート３１が施されて、遮水シート３１に、例えば三個の屋上緑化保水パレット２０が並置され、その周囲に遮水シート３１で覆われた囲い壁３０が設けられている。遮水シート３１は屋上の床面全体に敷設するのではなく、囲い壁３０内に設けられる。屋上緑化保水パレット２０内には保水マット（防根シート巻きマット）３２が載置されている。囲い壁３０が設けられた枠内に図５に示したように、シラスバルーン等の多孔質材による隙間充填材による保水層２６′が形成され、その保水層２６′上に人工土壌層２７が積層されている。３３は排水ドレンである。
【００３７】
屋上緑化保水パレット２０は、保水マット３２が設けられるが、保水マット３２の下部は貯留水層２８が形成されて、水が貯留されており、水が毛細管現象によって、保水マット３２に含浸して水分を含み、保水マット３２は屋上緑化保水パレット２０の周囲の突出部（外周側壁２２と立上がり縁取壁２３）に掛け渡して設置されている。２０ａは越流部であり、必要以上の雨水が貯留されることがないように越流部２０ａが設けられ、余分な水は越流部２０ａから外に流れ出て、排水トラップ３４から排水される。なお、３３は保水層２６′の隙間充填材が排水越流部２０ａに詰まることがないように設けられる保護カバーである。このような構成にすることによって、屋上緑化保水パレット２０内には必要な水が常に貯留されて植物１４の植栽に極めて有効である。また、この貯留水が太陽熱を吸収して屋上床面の温度を下げる効果も有する。
【産業上の利用可能性】
【００３８】
本発明の活用例としては、屋上等のコンクリート面のような部分を手軽に緑化することができる屋上緑化保水パレット及び緑化構造体であり、このような屋上緑化保水パレットを利用して緑化を行うことにより、建築物の省エネ効果が得られ、ヒートアイランドといった環境問題を緩和することができる。
【図面の簡単な説明】
【００３９】
【図１】（ａ）は、本発明の一実施形態を示す屋上緑化保水パレットの上面図であり、（ｂ）はその断面図である。
【図２】本実施形態の要部拡大図である。
【図３】本実施形態の使用例を説明する植物支持層を含めた分解斜視図である。
【図４】本発明の他の実施形態である緑化構造体を示す上面図である。
【図５】他の実施形態の断面図である。
【図６】他の実施形態の拡大断面図である。
【図７】（ａ）は他の実施形態の上面図、（ｂ）はその断面図、（ｃ）はその側面図である。
【図８】図８はその要部側面図である。
【図９】従来の人工芝を示す斜視図である。
【図１０】従来のユニット化した人工芝を示す斜視図である。
【図１１】従来の緑化構造体を示す断面図である。
【符号の説明】
【００４０】
２０  屋上緑化保水パレット
２１  床板部
２２  外周側壁
２２ａ  水量調整孔
２２ｂ  清掃用孔
２３  立上がり縁取壁
２４  スノコ状受材
２５  植物支持層
２６  高機能再生炭層（保水層）
２６′  保水層
２７  軽量土壌層（人工土壌層）
２８  貯留水層
２９  盲蓋
３０  囲い壁
３１  遮水シート
３２  保水マット
３３  排水ドレン
【図１】
2007143438.tif 000003
【図２】
2007143438.tif 000004
【図３】
2007143438.tif 000005
【図４】
2007143438.tif 000006
【図５】
2007143438.tif 000007
【図６】
2007143438.tif 000008
【図７】
2007143438.tif 000009
【図８】
2007143438.tif 000010
【図９】
2007143438.tif 000011
【図１０】
2007143438.tif 000012
【図１１】
2007143438.tif 000013